(57)【要約】      （修正有）【課題】音孔を開閉するキー装置を備えた管楽器のメンテナンスに用いる管楽器用工具において、単一の工具でメンテナンスを行えるようにする。【解決手段】作業者が把持する把持部２と、把持部２から延出する軸部３と、を備える。また、軸部３における把持部２側の端部と対向する先端部に、キー装置に用いられるすりわり付きねじ（ねじ部材）のすりわりに係合可能であり、軸部３を延在方向に沿った軸を中心として回転することですりわり付きねじの着脱を可能とする係合部４と、把持部２側に向かって窪み、キー装置に備えられる針ばねを押圧するための先端凹部５と、を備える。【選択図】図２
2014085362.tif 000002
【特許請求の範囲】
【請求項１】
音孔を開閉するキー装置を備えた管楽器のメンテナンスに用いる管楽器用工具であって、
作業者が把持する把持部と、
前記把持部から延出する軸部と、を備え、
前記軸部における前記把持部側の端部と対向する先端部に、
前記キー装置に用いられるすりわり付きねじのすりわりに係合可能であり、前記軸部を延在方向に沿った軸を中心として回転することで前記すりわり付きねじの着脱を可能とする係合部と、
前記把持部側に向かって窪み、前記キー装置に備えられる針ばねを押圧するための先端凹部と、を備えることを特徴とする管楽器用工具。
【請求項２】
前記軸部の側部に、前記針ばねに係合可能な側方係合部を備えることを特徴とする請求項１に記載の管楽器用工具。
【請求項３】
前記側方係合部として前記軸部の中心に向かって窪む凹部である側方凹部を備えることを特徴とする請求項２に記載の管楽器用工具。
【請求項４】
前記側方凹部は、
前記把持部側の内側面が、当該側方凹部の奥部から開口端部へ向かって把持部側へ傾斜した傾斜面とされるとともに、
前記先端部側の内側面における当該側方凹部の開口端部となる位置に、前記把持部側へ向かって突出する突出部を備えることを特徴とする請求項３に記載の管楽器用工具。
【請求項５】
前記先端凹部の開口端部の幅は、前記すりわりの長さよりも狭く、前記針ばねの径よりも広いことを特徴とする請求項１から４の何れか一項に記載の管楽器用工具。
【発明の詳細な説明】
【技術分野】
【０００１】
本発明は、音孔を開閉するキー装置を備えた管楽器のメンテナンスに用いる管楽器用工具に関する。
【背景技術】
【０００２】
クラリネット等に代表される管楽器は、管体の中に息を吹き込み、管体内部の空気柱を振動させることで音が生じる。また管壁に施された複数の音孔を開閉することにより音階を得ている。音孔の開閉操作は、音孔を開閉するキーと演奏者が操作可能なレバーを備えたキー装置によって行われる。
【０００３】
キーとレバーは軸心を中心として回動可能なキーロッドに取り付けられ、キーロッドは針ばね（スプリング）の復元力により所定の回動方向に付勢されており、レバーから指を離すと同時に初期位置に戻る構造となっていて、開閉操作のうち一方の操作（開く又は閉じる）は、意識することなく演奏ができる。キー装置は使用頻度に応じてキーロッドの支持部分の緩みやキーに設けられた蓋生地の破損などが発生するため、現在は専門の技師によって定期的なメンテナンスや修理が行われている。このようなメンテナンスを行うためには、例えば特許文献１に示すような特殊な工具が必要であり、専門の技師はこの他にも用途に応じて自作した工具等を用いてメンテナンスを行っている。
【先行技術文献】
【特許文献】
【０００４】
【特許文献１】実公平６−２４８７１号公報
【発明の概要】
【発明が解決しようとする課題】
【０００５】
上述のように管楽器のメンテナンスには特殊な工具が必要であって、例えば、キー装置の分解には針ばねを外すための工具や各楽器の各部位に合わせた寸法のドライバーが必要となり、一般の演奏者がメンテナンスを行うためには複数の工具を購入したり、専用の工具を自作したりしなければならないという課題があった。
【０００６】
本発明の目的は、音孔を開閉するキー装置を備えた管楽器のメンテナンスに用いる管楽器用工具において、単一の工具でメンテナンスを行えるようにすることである。
【課題を解決するための手段】
【０００７】
以上の課題を解決するため、請求項１に記載の発明は、音孔を開閉するキー装置を備えた管楽器のメンテナンスに用いる管楽器用工具であって、
作業者が把持する把持部と、
前記把持部から延出する軸部と、を備え、
前記軸部における前記把持部側の端部と対向する先端部に、
前記キー装置に用いられるすりわり付きねじのすりわりに係合可能であり、前記軸部を延在方向に沿った軸を中心として回転することで前記すりわり付きねじの着脱を可能とする係合部と、
前記把持部側に向かって窪み、前記キー装置に備えられる針ばねを押圧するための先端凹部と、を備えることを特徴とする。
【０００８】
ここで、先端凹部は係合部の一部を切り取った形状の凹部としても良いし、係合部を軸部の延在方向に沿って突設した二つの突起により形成して当該突起の間に形成される凹部としても良い。
【０００９】
請求項１に記載の発明によれば、係合部によりキー装置に取り付けられたすりわりつきねじの着脱作業が可能となるとともに、先端凹部を針ばねの側部に当接させて針ばねを押圧することでキーロッドの係合受部に対する針ばねの着脱作業を行うことが可能となり、単一の工具でメンテナンスを行うことができる。特に、先端凹部を備えることで、針ばねが先端凹部内に保持された状態となり、押圧する際に針ばねが逃げることがないので作業の効率が向上する。
【００１０】
請求項２に記載の発明は、請求項１に記載の管楽器用工具であって、前記軸部の側部に、前記針ばねに係合可能な側方係合部を備えることを特徴とする。
【００１１】
ここで側方係合部は、軸部の側部に突起部を設けることにより形成しても良いし、軸部に凹部を形成することにより形成しても良い。
【００１２】
請求項２に記載の発明によれば、側方係合部に針ばねを引っ掛けて引っ張ることで針ばねの係合受部に対する着脱作業が可能となり、単一の工具でメンテナンスを行うことができる。
【００１３】
請求項３に記載の発明は、請求項２に記載の管楽器用工具であって、前記側方係合部として前記軸部の中心に向かって窪む凹部である側方凹部を備えることを特徴とする。
【００１４】
請求項３に記載の発明によれば、側方凹部に針ばねを引っ掛けて引っ張ることで針ばねの係合受部に対する着脱作業が可能となり、単一の工具でメンテナンスを行うことができる。
【００１５】
請求項４に記載の発明は、請求項３に記載の管楽器用工具であって、前記側方凹部は、
前記把持部側の内側面が、当該側方凹部の奥部から開口端部へ向かって把持部側へ傾斜した傾斜面とされるとともに、
前記先端部側の内側面における当該側方凹部の開口端部となる位置に、前記把持部側へ向かって突出する突出部を備えることを特徴とする。
【００１６】
請求項４に記載の発明によれば、傾斜面を備えることにより側方凹部への針ばねの受け入れが容易になるとともに、突出部を備えることにより針ばねを引っ張る際の側方凹部からの脱落を防止でき、作業の効率を向上することができる。
【００１７】
請求項５に記載の発明は、請求項１から４の何れか一項に記載の管楽器用工具であって、前記先端凹部の開口端部の幅は、前記すりわりの長さよりも狭く、前記針ばねの径よりも広いことを特徴とする。
【００１８】
請求項５に記載の発明によれば、すりわり付きねじの着脱作業と針ばねの係合受部に対する着脱作業を確実に行うことができる。
【発明の効果】
【００１９】
本発明によれば、係合部によりキー装置に取り付けられたすりわりつきねじの着脱作業が可能となるとともに、先端凹部を針ばねの側部に当接させて針ばねを押圧することでキーロッドの係合受部に対する針ばねの着脱作業を行うことが可能となり、単一の工具でメンテナンスを行うことができる。特に、先端凹部を備えることで、針ばねが先端凹部内に保持された状態となり、押圧する際に針ばねが逃げることがないので作業の効率が向上する。
【図面の簡単な説明】
【００２０】
【図１】管楽器のキー装置が設けられた部分の側面図である。
【図２】管楽器用工具の斜視図である。
【図３】管楽器用工具の斜視図である。
【図４】図２に示す管楽器用工具の先端部分の正面図である。
【図５】図３に示す管楽器用工具の先端部分の正面図である。
【図６】係合部がねじ部材のすりわりに係合した状態を説明する斜視図である。
【図７】係合部がねじ部材のすりわりに係合した状態を説明する部分断面図である。
【図８】針ばねを押圧して外す工程を説明する図である。
【図９】針ばねを引っ張って外す工程を説明する図である。
【発明を実施するための形態】
【００２１】
以下、この発明の実施形態について図面を参照して説明する。クラリネット、オーボエ、サックス等の管楽器の管本体表面には音階を得るための複数の音孔が開設されており、演奏者の操作に応じて音孔の開閉を行うためのキー装置が設けられている。図１に示すようにこのキー装置１０は、管本体２０の周面に立設された一対のポスト１１と、当該一対のポスト１１により両端部が支持される棒状のキーロッド１３とを備える。キーロッド１３には音孔を閉鎖可能なキー（図示略）と演奏者が操作するレバー（図示略）が側方へ延出するように設けられている。
【００２２】
ポスト１１の頭部には、配設されるキーロッド１３の軸心方向に沿って延在し、内周面にねじ山が形成された貫通孔１２が形成されている。この貫通孔１２に、キーロッド１３の端部に形成された支持穴１４に挿入される支持軸部１６ｂを先端部に備えたねじ部材１６を、当該支持軸部１６ｂがキーロッド１３に向かって延出するように螺合することで、キーロッド１３が軸心を中心として回動可能に軸支されるようになっている。このねじ部材１６は頭部にすりわり１６ａが形成されたすりわり付きねじとなっている。このようにキーロッド１３が回動可能に軸支されることで、レバーの操作によりキーが動作するようになっている。
【００２３】
また、キー装置１０にはキーロッド１３を回動方向に付勢する線状の針ばね１７が設けられている。この針ばね１７は、一端部がポスト１１に形成された挿通孔に挿通されるとともに固定され、他端部がキーロッド１３に突設された係合受部１５の側面に係合することでキーロッド１３を所定の回動方向に付勢するようになっている。これにより、レバーが操作されていない状態においてはキーが音孔を閉鎖した状態又は開放した状態に保たれ、演奏者が針ばね１７の付勢力に抗してレバーを操作することでキーが音孔を開放した状態又は閉鎖した状態となる。
【００２４】
このような構成を有するキー装置１０の分解、組立の際には、ねじ部材１６を着脱する作業や針ばね１７を係合受部１５から着脱する作業が必要であり、図２、図３に示す本発明の管楽器用工具１は、ねじ部材１６の着脱と針ばね１７の着脱を単一の工具で行えるようになっている。なお、図２と図３に示す管楽器用工具１は、備える機能は同等であるが先端部分の大きさが異なるものである。
【００２５】
この管楽器用工具１は、作業者が把持する円柱状の把持部２と、把持部２の一端から延出する平板状の軸部３を備えている。また、図４、図５に示すように軸部３における把持部２側の端部と対向する先端部には、キー装置１０に取り付けられるねじ部材１６のすりわり１６ａに係合可能な係合部４が形成されている。係合部４は、軸部３を当該軸部３の延在方向に沿った軸を中心として回転することでねじ部材１６の着脱を可能とするものであって、本実施形態では平板状の軸部３の先端部分を用いて形成されている。
【００２６】
また、軸部３における把持部２側の端部と対向する先端部には先端凹部５が形成されている。この先端凹部５は、キー装置１０に備えられる針ばね１７を押圧しながら係合受部１５に対する着脱作業を行うためのものである。先端凹部５は、把持部２側に向かって窪む凹部であって、開口端部の幅は針ばね１７の径よりも広くなっている。これにより、針ばね１７が先端凹部５内に保持された状態となり、針ばね１７を押圧する際に針ばね１７が逃げることを防止できる。また、図６、図７に示すように、先端凹部５の開口端部の幅は、適用対象とするすりわり付きねじのすりわり１６ａの長さよりも狭く、先端凹部５の両側に位置する係合部４の両方が同時にすりわり１６ａに係合可能となっており、ねじ部材１６の着脱作業に用いる際にも不都合が生じないようにされている。
【００２７】
なお、本実施形態の管楽器用工具１では、把持部２の軸心と軸部３の軸心は一致し、先端凹部５の最奥部は当該軸心上にあって、先端凹部５の両側に位置する係合部４は当該軸心を中心として対称に形成されている。これにより、ねじ部材１６の着脱作業の際には把持部２の軸心を中心として管楽器用工具１を回転させれば良く、針ばね１７の着脱作業の際には把持部２の軸心に沿って針ばね１７を押圧すれば良く、両方の作業を効率的に行うことができる。
【００２８】
また、図４、図５に示すように軸部３の側部には、針ばね１７に係合可能な側方係合部として、軸部３の中心に向かって窪む凹部である側方凹部６が形成されている。この側方凹部６は、針ばね１７を引っ掛けて把持部２側へ引っ張りながら係合受部１５に対する着脱作業を行うためのものである。この側方凹部６は、把持部２側の内側面６ａが、当該側方凹部６の奥部から開口端部へ向かって把持部２側へ傾斜した傾斜面とされており、容易に側方凹部６へ針ばね１７を受け入れることができるようにされている。また、先端部側の内側面における当該側方凹部６の開口端部となる位置に、把持部２側へ向かって突出する突出部６ｂを備えており、針ばね１７を引っ張る際に針ばね１７が側方凹部６から脱落することを防止するようになっている。
【００２９】
図８には、管楽器用工具１を用いて針ばね１７を押圧しながら係合受部１５から外す作業の一例を示した。図８（ａ）に示すように、キーロッド１３から延出する係合受部１５の周面には周面凹部１５ａが形成され、この周面凹部１５ａに針ばね１７が係合し、付勢するようになっている。図８（ａ）では針ばね１７が係合受部１５を左方に向けて付勢している状態となっている。
【００３０】
針ばね１７を押圧しながら外す場合は、まず、図８（ａ）に示すように管楽器用工具１の先端を、針ばね１７に対して当該針ばね１７の付勢方向とは反対側から近づけ、図８（ｂ）に示すように先端凹部５に針ばね１７を受け入れる。そして、図８（ｃ）に示すように、係合受部１５の周面凹部１５ａから針ばねが外れるまで付勢力に抗して押圧した状態で、図８（ｄ）に示すように係合受部１５と重ならない位置まで針ばね１７を移動させる。これにより図８（ｅ）に示すように針ばね１７を係合受部１５から外すことができる。
【００３１】
図９には、管楽器用工具１を用いて針ばね１７を引っ張りながら係合受部１５から外す作業の一例を示した。この場合は、まず、図９（ａ）に示すように管楽器用工具１を、針ばね１７に対して係止受部１５と反対側からから近づけ、側方凹部６が針ばね１７を越えるようにくぐらせてから付勢方向と反対側に引きつつ図９（ｂ）に示すように側方凹部６に針ばね１７を受け入れる。この際に、側方凹部６の把持部２側の内側面が傾斜面６ａとなっていることから、この傾斜面６ａに針ばね１７を沿わせることで容易に側方凹部６へ受け入れることができる。
【００３２】
そして、図９（ｃ）に示すように係合受部１５の周面凹部１５ａから針ばね１７が外れるまで付勢力に抗して引っ張り、図９（ｄ）に示すように係合受部１５と重ならない位置まで針ばね１７を移動させる。この際に側方凹部６の先端部側の内側面に突出部６ｂが設けられているため、針ばね１７が側方凹部６から外れることがない。これにより図９（ｅ）に示すように針ばね１７を係合受部１５から外すことができる。
【００３３】
この後に、管楽器用工具１を用いてキーロッド１３を軸支するねじ部材１６を外すことでキー装置１０を分解することができる。すなわち、この管楽器用工具１によれば単一の工具でメンテナンスを行うことができる。なお、キー装置１０の組立作業は分解作業の逆の工程で行えばよく、例えば針ばね１７を係合受部１５に係合させる作業は、図８、図９の作業を逆の工程で行えば良い。
【００３４】
なお、図２と図３に大きさの異なる管楽器用工具１を示したが、これらの少なくとも一方の先端凹部５及び側方凹部６が、線径が０．４から１．２ｍｍの範囲にある針ばね１７に対応することが好ましい。また、これらの少なくとも一方の係合部４が、すりわりの長さが２．０から５．８ｍｍ、すりわりの幅が０．４から１．２ｍｍの範囲にあるねじ部材１６に対応することが好ましい。また、一種類の楽器における針ばね１７の着脱及びねじ部材１６の着脱を一つの管楽器用工具１で全て行えるように先端凹部５、側方凹部６及び係合部４の大きさを設定することが好ましい。この場合に一つの管楽器用工具１が複数種類の楽器に対応するようにしても良い。もちろんこれに限られるものではなく、先端凹部５、側方凹部６及び係合部４の大きさは任意に設定可能である。
【００３５】
また、以上の実施形態では、把持部２の形状は円柱状としたが、これに限られるものではなく角柱や他の形状としても良い。また、軸部３の延在方向と直交するように把持部２を設けても良いが、作業の際に管楽器の各部と干渉しないような形状とすることが好ましい。また、軸部３の形状を平板状としたがこれに限られるものではなく、円柱や角柱、その他の形状としても良い。
【００３６】
また、把持部２の軸心と軸部３の軸心は一致し、先端凹部５の最奥部は軸心上にあって、先端凹部５の両側に位置する係合部４は当該軸心を中心として対称に形成されているとしたが、ねじ部材１６の着脱作業、針ばね１７の着脱作業が可能であればこの配置に限られるものではない。例えば、係合部４に挟まれるように先端凹部５を形成したが、係合部４の側方に先端凹部５を形成しても良い。すなわち先端凹部５の最奥部が軸心上になくても良い。また、先端凹部５を底部が半円状の溝又は半円状の窪みとしたが、これに限られるものではなく、把持部２側に向かって窪む凹部であればどのような形状であっても良い。
【００３７】
また、側方係合部として側方凹部６を示したが、軸部３の側面から突出する突出部を設けて側方係合部を形成しても良い。この場合、突出部における軸部３の先端側に針ばね１７を当接させることで針ばね１７を押圧する作業が可能となり、突出部における軸部３の把持部２側に針ばね１７を当接させることで針ばね１７を引っ張る作業が可能となるので、先端凹部５を設けないようにしても良い。また、側方凹部６の形状をフック状としたが、少なくとも軸部３の中心に向かって窪む凹部であれば良く、傾斜面６ａや突出部６ｂを備えなくても良い。また、先端凹部５は係合部４の一部を切り取った形状の凹部としたが、係合部４を軸部３の延在方向に沿って突設した二つの突起により形成して当該突起の間に形成される凹部を先端凹部５としても良い。
【符号の説明】
【００３８】
１  管楽器用工具、２  把持部、３  軸部、４  係合部、５  先端凹部、６  側方凹部、６ａ  傾斜面、６ｂ  突出部、１０  キー装置、１６  ねじ部材（すりわり付きねじ）、１６ａ  すりわり、１７  針ばね
【図１】
2014085362.tif 000003
【図２】
2014085362.tif 000004
【図３】
2014085362.tif 000005
【図４】
2014085362.tif 000006
【図５】
2014085362.tif 000007
【図６】
2014085362.tif 000008
【図７】
2014085362.tif 000009
【図８】
2014085362.tif 000010
【図９】
2014085362.tif 000011